(57)【要約】【課題】風向きの違いとは無関係に効果的に換気空気を導入して、電気機器ボックス内の換気を効率よく行なうことができる、電気機器ボックスの換気用通風装置を提供する。【解決手段】外壁Ｗに設けた取付開口１の外面を覆うルーバー板２を備えている。ルーバー板２の板壁８には、一群のルーバー壁９と、ルーバー壁９の下縁に沿って形成される一群の通風口１０とが、一定間隔おきに多段状に形成してある。ルーバー壁９は、ルーバー壁９の左右方向の中途部の少なくとも一個所に設けられた頂部１８と、頂部１８へ向かって上り傾斜する複数の裾壁１９とで上凸状に構成する。ルーバー壁９の膨出基端側に、ルーバー壁９に衝突した風の一部を、ルーバー壁９の上側に位置する通風口１０へ向かって変向案内する変向壁２０を設ける。【選択図】図１
2013222882.tif 000002
【特許請求の範囲】
【請求項１】
外壁（Ｗ）に設けた取付開口（１）の外面を覆うルーバー板（２）を備えている電気機器ボックスの換気用通風装置であって、
ルーバー板（２）の板壁（８）には、一群のルーバー壁（９）と、ルーバー壁（９）の下縁に沿って形成される一群の通風口（１０）とが、一定間隔おきに多段状に形成されており、
ルーバー壁（９）が、ルーバー壁（９）の左右方向の中途部の少なくとも一個所に設けられた頂部（１８）と、頂部（１８）へ向かって上り傾斜する複数の裾壁（１９）とで上凸状に構成してあることを特徴とする電気機器ボックスの換気用通風装置。
【請求項２】
ルーバー板（２）の板壁（８）にプレス加工を施して、ルーバー壁（９）が前記板壁（８）に連続して外向きに膨出形成されており、
ルーバー壁（９）の膨出基端側に、ルーバー壁（９）に衝突した風の一部を、ルーバー壁（９）の上側に位置する通風口（１０）へ向かって変向案内する変向壁（２０）が設けてある請求項１に記載の電気機器ボックスの換気用通風装置。
【請求項３】
ルーバー壁（９）が、ルーバー壁（９）の左右中央に設けた頂部（１８）と、頂部（１８）へ向かって直線状に上り傾斜する左右一対の裾壁（１９）とでへ字状に形成してある請求項２に記載の電気機器ボックスの換気用通風装置。
【請求項４】
ルーバー壁（９）が、頂部（１８）と裾壁（１９）とが滑らかに連続する状態で上凸湾曲状に形成してある請求項２に記載の電気機器ボックスの換気用通風装置。
【請求項５】
ルーバー壁（９）が、同壁（９）の左右方向の中途部の複数個所に設けた頂部（１８）と、各頂部（１８）へ向かって上り傾斜する複数の裾壁（１９）とで連続波形に形成してある請求項２に記載の電気機器ボックスの換気用通風装置。
【請求項６】
ルーバー板（２）の板壁（８）にへ字状のルーバー壁（９）が複数列設けてある請求項２に記載の電気機器ボックスの換気用通風装置。
【発明の詳細な説明】
【技術分野】
【０００１】
本発明は、分電盤や配電盤等の電気機器ボックスに適用される換気用通風装置に関する。
【背景技術】
【０００２】
この種の通風装置は、例えば本出願人の提案に係る特許文献１に公知である。そこでは、取付開口の外面を覆うルーバー板と、ルーバー板の内面に配置されるフィルターと、取付開口の内面に配置されて、フィルターを通過した後の空気を上向きに変向案内する導風箱を主な止水要素にして通風装置を構成している。ルーバー板の板面には、下向きに開口するルーバー壁が外向きに膨出する状態で多段状に形成してあり、各ルーバー壁の下縁に沿って通風口が水平に開口してある。
【０００３】
特許文献２の通風装置においては、取付開口の外面を外ルーバー体で覆い、さらに外ルーバー体の内面を内ルーバー体で覆って、両ルーバー体の間に逆Ｖ字状の通風路を形成している。また、内ルーバー体の内面には、換気空気を上向きに変向案内する導風箱が配置してある。外ルーバー体には、屋内側へ向かって上り傾斜するルーバー壁が切起こし形成されており、同様に内ルーバー体には、屋外側へ向かって上り傾斜するルーバー壁が切起こし形成してある。上下に隣接するルーバー壁の間に水平の通気開口が形成してある。
【先行技術文献】
【特許文献】
【０００４】
【特許文献１】特開２００５−０５７２１３号公報（段落番号００１９〜００２０、図１）
【特許文献２】特開２００２−０１０４１６号公報（段落番号００１５〜００１７、図１）
【発明の概要】
【発明が解決しようとする課題】
【０００５】
特許文献１の通風装置においては、ルーバー壁が下向きに開口する状態で水平に膨出形成してあるので、雨滴をルーバー壁で流下案内しながら換気空気を通風口から通風装置内へ導入することができる。しかし、通風口がルーバー壁の下縁に沿って水平に開口してあるので、風向きによって換気空気を効果的に導入するのが困難となり、そのため、電気機器ボックス内の換気効率が低下してしまう。例えば、雨混じりの風がルーバー壁に向かって斜め上方から吹付けるような場合には、傾斜するルーバー壁に当った風の殆どが、雨滴と共にルーバー壁で斜め下向きに案内されてしまうからである。また、雨混じりの風が通風口と平行に流動するような場合にも、同様に換気空気を効果的に導入するのが困難となる。とくに、電気機器ボックス内が、空気の自然対流作用によって換気空気を導入する通風装置の場合に、換気空気を効果的に導入できなくなる。そのため、電気機器ボックス内の換気を効率良く行なえなくなる。
【０００６】
本発明の目的は、風向きの違いに大きく影響されることもなく効果的に換気空気を導入して、電気機器ボックス内の換気を効率よく行なうことができる、電気機器ボックスの換気用通風装置を提供することにある。
【課題を解決するための手段】
【０００７】
本発明に係る電気機器ボックスの通風装置は、外壁Ｗに設けた取付開口１の外面を覆うルーバー板２を備えている。ルーバー板２の板壁８には、一群のルーバー壁９と、ルーバー壁９の下縁に沿って形成される一群の通風口１０とが、一定間隔おきに多段状に形成してある。ルーバー壁９は、ルーバー壁９の左右方向の中途部の少なくとも一個所に設けられた頂部１８と、頂部１８へ向かって上り傾斜する複数の裾壁１９とで上凸状に構成してあることを特徴とする。
【０００８】
ルーバー板２の板壁８にプレス加工を施して、ルーバー壁９を板壁８に連続して外向きに膨出形成する。図２に示すように、ルーバー壁９の膨出基端側に、ルーバー壁９に衝突した風の一部を、ルーバー壁９の上側に位置する通風口１０へ向かって変向案内する変向壁２０を設ける。
【０００９】
ルーバー壁９は、ルーバー壁９の左右中央に設けた頂部１８と、頂部１８へ向かって直線状に上り傾斜する左右一対の裾壁１９とでへ字状に形成する（図１参照）。
【００１０】
図５（ａ）に示すように、ルーバー壁９は、頂部１８と裾壁１９とが滑らかに連続する状態で上凸湾曲状に形成する。
【００１１】
図５（ｂ）に示すように、ルーバー壁９は、同壁９の左右方向の中途部の複数個所に設けた頂部１８と、各頂部１８へ向かって上り傾斜する複数の裾壁１９とで連続波形に形成する。
【００１２】
図５（ｃ）に示すように、ルーバー板２の板壁８にへ字状のルーバー壁９を複数列設けることができる。
【発明の効果】
【００１３】
本発明においては、ルーバー板２の板壁８に形成されるルーバー壁９を、ルーバー壁９の左右方向の中途部の少なくとも一個所に設けられた頂部１８と、頂部１８へ向かって上り傾斜する複数の裾壁１９とで上凸状に構成するようにした。このように、ルーバー壁９を上凸状に構成すると、ルーバー壁９に衝突した風の一部を、傾斜する裾壁１９で横向きに変向案内して、風を変更案内した裾壁１９より上側に位置する通風口１０へと流動させることができる。従って、本発明に係る換気用の通風装置によれば、風向きの違いに大きく影響されることもなく効果的に換気空気をルーバー板２の内部へ導入して、電気機器ボックス内の換気を効率よく行なうことができる。とくに、雨混じりの風が斜め上方から吹付ける場合や、雨混じりの風が、ルーバー板２の板壁８に沿って横向きに吹抜ける場合であっても、風の一部を傾斜する裾壁１９で横向きに変向案内して、換気空気をルーバー板２の内部へ確実に導入することができる。また、ルーバー板に横一文字状のルーバー壁と、上凸状のルーバー壁９とを同じ個数だけ形成する場合に、両者の通風口１０の開口面積を比較すると、前者の通風口１０の開口面積に比べて、後者の通風口１０の開口面積を増加できる。従って、換気空気をさらに効果的にルーバー板２の内部へ導入して、電気機器ボックス内の換気を効率よく行なえることとなる。
【００１４】
ルーバー壁９を板壁８に連続して外向きに膨出形成し、ルーバー壁９の膨出基端側に変向壁２０を設けると、ルーバー壁９に衝突した風の一部を変向壁２０で上側に位置する通風口１０へ向かってさらに積極的に変向案内することができる。例えば、ルーバー壁９の断面が、その膨出基端から直線状に下り傾斜する壁で形成してあるような場合に比べて、より大量の風を変向壁２０で変向案内して、電気機器ボックス内の換気をさらに効果的に行なうことができる。
【００１５】
ルーバー壁９を、ルーバー壁９の左右中央に設けた頂部１８と、頂部１８へ向かって直線状に上り傾斜する左右一対の裾壁１９とでへ字状に形成すると、ルーバー板２の板壁８に沿って横向きに吹抜ける風を、左右の裾壁１９に臨む通風口１０から均等に導入できる。従って、風向きが右向きであっても、左向きであっても、その違いに大きく影響されることもなく効果的に換気空気をルーバー板２の内部へ導入して、電気機器ボックス内の換気を効果的に行なえる。
【００１６】
ルーバー壁９が、頂部１８と裾壁１９とが滑らかに連続する状態で上凸湾曲状に形成してあると、変向壁２０で変向案内された風の流動方向と、ルーバー壁９の裾壁１９との交差角度を、左右中央から左右両端へ近付くほど徐々に大きくすることができる。また、上下に隣接するルーバー壁９の上下間隔を、ルーバー壁９の左右両端へ近付くほど徐々に小さくすることができる。従って、変向壁２０で変向案内された風を、裾壁１９の両側に臨む通風口１０からさらに的確に導入できる。
【００１７】
ルーバー壁９が、複数の頂部１８と、複数の裾壁１９とで連続波形に形成してあると、ルーバー板２の板壁８において、ルーバー壁９および通風口１０の占める面積を大きくして、換気空気をルーバー板２の内部へ効果的に導入できる。これは、図１あるいは図５（ａ）に示すように、上凸状のルーバー壁９を多段状に設ける場合には、最下段のルーバー壁９の下方の中央と、最上段のルーバー壁９の上方左右とに、三角形状のデッドスペースが生じるのを避けられず、その分だけ開口面積が小さくなるからである。
【００１８】
ルーバー板２の板壁８にへ字状のルーバー壁９を複数列設けると、個々の裾壁１９の長さ寸法を、図１あるいは図５（ａ）で説明した裾壁１９の長さの半分以下にできるので、ルーバー壁９に沿って流落ちる雨水を板壁８に沿って速やかに流下し排出できる。従って、ルーバー板２の外面における雨水の滞留時間を最小限化して、換気空気に含まれる雨滴の分離をより速やかに行える。
【図面の簡単な説明】
【００１９】
【図１】本発明に係る換気用通風装置の正面図である。
【図２】図１の換気用通風装置の中央縦断側面図である。
【図３】図１の換気用通風装置を後面側から見た状態の分解斜視図である。
【図４】本発明に係るルーバー板の空気導入作用を示す説明図である。
【図５】本発明に係る換気用通風装置の別の実施例を示す正面図である。
【発明を実施するための形態】
【００２０】
（実施例）  図１ないし図４は、本発明に係る換気用通風装置の実施例を示す。本発明における前後、左右、上下とは、図１および図２に示す交差矢印と、各矢印の近傍に表記した前後、左右、上下の表示に従う。
【００２１】
図２において通風装置は、電気機器ボックスの外壁Ｗに開口した取付開口１の外面を覆うルーバー板２と、取付開口１の内面を覆う導風箱３と、導風箱３の上開口４に臨んで箱内面に下り傾斜状に設けられる邪魔板５（図３参照）などで構成してある。
【００２２】
ルーバー板２は、鋼板あるいはステンレス鋼板を素材にして形成した、四角形状のプレス成形品からなり、その板壁８に、一群のルーバー壁９と、ルーバー壁９の下縁に沿って形成される一群の通風口１０とが、一定間隔おきに多段状に形成してある。ルーバー壁９の下縁と通風口１０とは平行になっており、通風口１０は、ルーバー壁９の下縁を通る水平面に沿って開口してある。板壁８の周囲には、周側壁１１が板壁８と一体に絞り形成してあり、この周側壁１１は、取付開口１の周縁壁に配置したパッキン１５で受止められている。板壁８の内面の周囲６個所にはスタッドボルト１２が溶接してあり、このスタッドボルト１２でルーバー板２と導風箱３とが取付開口１の周縁壁に締結される。そのために、取付開口１の周縁壁に、スタッドボルト１２に対応して６個の挿通穴１３が形成してある。符号１４はスタッドボルト１２に平座金を介してねじ込まれるナットである。
【００２３】
図２に示すようにルーバー壁９は、ルーバー板２の板壁８にプレス加工を施して外向きに膨出形成されている。具体的には、ルーバー壁９は、図１に示すようにルーバー板２と正対する位置から見て、左右中央において上向きに屈曲する頂部１８と、頂部１８へ向かって上り傾斜する直線状の左右一対の裾壁１９とでへ字状（上凸状）に形成してある。ルーバー壁９の膨出基端側には、ルーバー壁９に衝突した風の一部を、ルーバー壁９の上側に位置する通風口１０へ向かって変向案内する変向壁２０が、板壁８に連続する状態で設けてある。図２に示すようにルーバー壁９の断面形状は、部分円弧状の変向壁２０と、同壁２０に連続して通風口１０の外面を覆う庇壁２１とで逆Ｊ字状に形成してある。この実施例では、ルーバー板２の板壁８に８個のルーバー壁９を形成しており、裾壁１９の傾斜角度θは３０度とした。
【００２４】
図２において導風箱３は、ルーバー板２と対向する導風壁２４と、導風壁２４の下端に連続して下り傾斜する排水壁２５と、導風壁２４および排水壁２５の両側を覆う左右一対の箱側壁２６と、排水壁２５および箱側壁２６に沿って張出した四角枠状の締結座２７などで構成してある。導風箱３を設けることにより、ルーバー板２の通風口１０から入込む空気を導風壁２４で上向きに変向案内して、換気空気から雨滴を分離でき、分離した雨滴を、排水壁２５と、ルーバー板２の下部に開口した排水穴２８を介して通風装置の外へ排出できる。邪魔板５は、締結座２７の上枠部から導風壁２４へ向かって下り傾斜する状態で設けてあり、この邪魔板５で、ルーバー板２の通風口１０から浸入した雨滴を受止めて、雨滴が導風箱３の上開口４から電気機器ボックスの内部へ直接入込むのを防止できる。
【００２５】
通風装置を取付開口１に装着する場合には、ルーバー板２の内面にパッキン１５を組付けた状態で、スタッドボルト１２を取付開口１の外面側から挿通穴１３に差込み、取付開口１の内面に導風箱３をあてがって、その締結座２７をスタッドボルト１２に係合する。この状態で、各スタッドボルト１２に座金を介してナット１４をねじ込むことにより、ルーバー板２および導風箱３を取付開口１に装着できる。
【００２６】
以下に、ルーバー板２による換気空気の導入作用を説明する。図４は、ルーバー壁９の一部を拡大した状態を示しており、その右横にａ−ａ線断面図を、その下方にｂ−ｂ線断面図を示している。図４において、雨混じりの風が斜め上方から吹付けて変向壁２０に衝突した状態を矢印Ｒで示している。先に説明したように、ルーバー壁９の大半を占める裾壁１９は、頂部１８から下り傾斜状に傾斜している。さらに、変向壁２０は垂直の板壁８に対して部分円弧状に下り傾斜している。そのため、変向壁２０に衝突した雨混じりの風の一部は、変向壁２０で反射もしくは変向案内されて矢印Ｒ１の向き、即ち雨混じりの風が衝突した変向壁２０の上側に位置する通風口１０へ向かって横向きに変向される。このとき、変向壁２０に衝突した雨滴の殆どは、変向壁２０から庇壁２１の側へ流動して、庇壁２１の下縁から落下する。従って、斜め上方から吹付けて変向壁２０に衝突した雨混じりの風の一部は、変向壁２０で横向きに変向されて、上側に位置する通風口１０からルーバー板２の内部へ入込む。
【００２７】
また、雨混じりの風が、ルーバー板２の板壁８に沿って横向きに吹抜ける場合には、傾斜する裾壁１９と横向きの風の流動方向とが交差するため、この場合にもルーバー壁９を乗越えた風を裾壁１９の内面で受止めてルーバー板２の内部へ導入することができる。因みに、従来のルーバー板のように、ルーバー壁および通風口が水平に形成してある場合には、斜め上方から吹付けてルーバー壁に衝突した雨混じりの風の殆どは、ルーバー壁の前方外面へと変向案内されるので、換気空気をルーバー板の内部へ導入するのが難しい。また、雨混じりの風が、水平のルーバー壁および通風口に沿って横向きに吹き抜ける場合には、風は上下に隣接するルーバー壁の間を通抜けるだけであるので、換気空気をルーバー板の内部へ導入するのが難しい。
【００２８】
上記構成の通風装置によれば、ルーバー板に横一文字状のルーバー壁を、上記の実施例と同じ個数（８個）だけ形成する場合に比べて、通風口１０の開口面積を約１５％増加することができる。これは、裾壁１９の傾斜角度θが３０度であるので、片方の裾壁１９の全長と、横一文字状のルーバー壁の半分の長さを比較すると、前者が２であるとき、後者はルート３となり、この長さの違いに比例して通風口１０の開口面積を大きくできるからである。従って、換気空気をさらに効果的にルーバー板２の内部へ導入して、電気機器ボックス内の換気を効率よく行なえることになる。
【００２９】
図５（ａ）〜（ｃ）はルーバー板２の別の実施例を示す。図５（ａ）では、ルーバー板２と正対するときのルーバー壁９の形状を部分円弧状（上凸湾曲状）に形成して、頂部１８と左右の裾壁１９とを境界のない状態で滑らかに連続させるようにした。ルーバー壁９は部分円弧状に形成する以外に、湾曲する左右の裾壁１９の交差部分を丸めて頂部１８とした上凸湾曲状に形成することができる。なお、必要があれば、最下段のルーバー壁９の下方の中央と、最上段のルーバー壁９の上方左右とに、他のルーバー壁９より左右長さが小さなルーバー壁９を配置して、ルーバー板２の開口面積を拡大することができる。
【００３０】
図５（ｂ）はルーバー板２のさらに別の実施例を示す。そこでは、ルーバー板２と正対するときのルーバー壁９の形状を連続波形に形成して、ルーバー壁９の左右方向の中途部の２個所に頂部１８を設けた。また、左右に隣接する頂部１８の間に形成される裾壁１９を連続させて、ルーバー壁９の全体形状を連続波形に形成した。
【００３１】
図５（ｃ）はルーバー板２のさらに別の実施例を示す。そこでは、ルーバー板２の板壁８の左右のそれぞれにへ字状のルーバー壁９を多段状に形成した。この実施例から理解できるように、ルーバー壁９はルーバー板２に複数列設けることができる。
【００３２】
図１に示す実施例では、ルーバー壁９の左右方向の中央に頂部１８を設けたがその必要はなく、頂部１８はルーバー壁９の左右中央から、左右いずれかへずれた位置に設けることができる。その場合の、左右の裾壁１９の長さは、右の裾壁１９と左の裾壁１９とで異なることになるが、左右の裾壁１９の傾斜角度θは、右の裾壁１９と左の裾壁１９とで異なっていてもよく、同じであってもよい。
【００３３】
上記の実施例では、ルーバー板２と、導風箱３と、邪魔板５などで換気用の通風装置を構成したがその必要はなく、必要に応じて通風装置の構造を変更することができる。例えば、ルーバー板２の内面、あるいは取付開口１の内面にフィルターを配置して、通風装置に防虫機能あるいは防塵機能を付加することができる。また、取付開口１の内面に送風ファンユニットを設けて、強制換気式の通風装置とすることができる。電気機器ボックスが屋内に設置される場合には、取付開口１の外面をルーバー板２で覆って通風装置とすることができる。
【００３４】
ルーバー板は、金属板材をプレス成形して形成する以外に、必要があればプラスチック成形品や、金属枠体をインサートしたインサート成形品で形成することができる。その場合の金属枠体は、少なくともスタッドボルト１２が固定される部分を四角枠状に形成するとよい。ルーバー壁９はルーバー板２と別体の部品として形成することができる。ルーバー壁９の断面形状に関して、部分円弧状の変向壁２０と垂直の庇壁２１とでルーバー壁９を形成する必要はなく、例えば、変向壁２０を板壁に連続して傾斜する直線状の傾斜壁で形成し、あるいはルーバー壁９の断面を逆Ｌ字状に形成することができる。また、通風口１０は、ルーバー壁９の下縁を通る水平面に沿って開口する必要はなく、ルーバー壁９の下縁を通る水平面に対して、ルーバー壁９の下縁から板壁８へ向かって下り傾斜する平面に沿って開口することができる。
【００３５】
ルーバー壁９は、傾斜するひとつの裾壁１９のみが多段状に連続する状態で形成することができる。しかし、その場合には雨混じりの風が、ルーバー板２の板壁８に沿って通風口１０へ向かって横向きに吹抜ける場合には、ルーバー板２の内部に風を導入できるが、逆向きに吹抜ける場合には、ルーバー板２の内部に風を導入できなくなる点で、風の導入を効果的に行えない。
【符号の説明】
【００３６】
１  取付開口
２  ルーバー板
３  導風箱
８  ２の板壁
９  ルーバー壁
１０  通風口
１８  頂部
１９  裾壁
２０  変向壁
２１  庇壁
Ｗ  電気機器ボックスの外壁
【図１】
2013222882.tif 000003
【図２】
2013222882.tif 000004
【図３】
2013222882.tif 000005
【図４】
2013222882.tif 000006
【図５】
2013222882.tif 000007